(57)【要約】      （修正有）【課題】本発明は、ＣＤやＤＶＤ等の円盤型の光ディスクを収納ケース内に収納する際に、記録面に触れることがなく、かつ確実に収納することができ、さらに収納ケース自体がソフトをインストールする動作環境や、使用方法などの説明書とした安価で信頼性の高い収納ケースを提供する。【解決手段】円盤型の光ディスク記録媒体１０９の外周形状と略等しく形成した円弧部を有する第２の薄板部１０２と、第２の薄板部１０２に連結され折り目部で折り返されて光ディスク記録媒体１０９を保持する折り曲げ板部を有する構成とした。【選択図】図１
2007050896.tif 000002
【特許請求の範囲】
【請求項１】
連結する複数の薄板部の連結部に折り目線部を備え、
前記連結部のうち少なくとも１つは折り目線部を前記連結部の両端に有し、前記両端の折り目線部間には前記両端の折り目線部間を結ぶスリットを備える光ディスク記録媒体の収納ケースであって、
前記スリットは、前記薄板部内の点を略円弧中心とする前記光ディスク記録媒体の外周形状と略等しい円弧部と、前記円弧部と前記折り目線部と連結する少なくとも１つの直線部を有する構成としたことを特徴とする収納ケース。
【請求項２】
連結する第１の薄板部、第２の薄板部、第３の薄板部の連結部に備えた折り目線部に沿って折り曲げて形成する光ディスク記録媒体の収納ケースであって、
前記第１の薄板部と前記第２薄板部の連結部に、連結部両端の折り目線部と、折り目線部を結ぶ第１のスリットを、
前記第２の薄板部と前記第３薄板部の連結部に、連結部両端の折り目線部と、折り目線部を結ぶ第２のスリットを有し、
前記第１のスリットと前記第２のスリットとは、前記第２の薄板部内の点を略円弧中心とする前記光ディスク記録媒体の外周形状と略等しい円弧部を有する構成としたことを特徴とする請求項１記載の収納ケース。
【請求項３】
前記第２の薄板部の折り曲げ幅長が前記光ディスク記録媒体の直径より短いことを特徴とする請求項２記載の収納ケース。
【請求項４】
前記第１のスリットおよび第２のスリットは、前記折り目線部と直角の直線部と、前記折り目線部と平行な直線部と、前記光ディスク記録媒体の外周形状と略等しい円弧部を備えることを特徴とする請求項２または請求項３記載の収納ケース。
【請求項５】
前記第１の薄板部、または前記第３の薄板部の少なくとも１つには、前記円盤型の光ディスク記録媒体の外周形状と略等しく形成した円弧部と、前記円弧部に突起を有することを特徴とする請求項２から請求項４のいずれか１つ記載の収納ケース。
【請求項６】
前記第１の薄板部、または前記第３の薄板部の少なくとも１つには、前記光ディスク記録媒体のレーベル面の一部を露出する窓穴部を設けたことを特徴とする請求項２から請求項５のいずれか１つ記載の収納ケース。
【請求項７】
連結する第１の薄板部、第２の薄板部、第３の薄板部、第４の薄板部、および第５の薄板部の連結部に備えた折り目線部に沿って折り曲げて形成する光ディスク記録媒体の収納ケースであって、
前記第１の薄板部と前記第２薄板部の連結部に、連結部両端の折り目線部と折り目線部を結ぶ第１のスリットを、前記第２の薄板部と前記第３薄板部の連結部に、連結部両端の折り目線部と折り目線部を結ぶ第２のスリットを備え、
前記第１のスリットと前記第２のスリットとは、前記第２の薄板部内の点を略円弧中心とする前記光ディスク記録媒体の外周形状と略等しい円弧部を有し、
第３の薄板部と第４の薄板部の連結部に、連結部両端の折り目線部と第１の穴部を、第４の薄板部と第５の薄板部の連結部に、連結部両端の折り目線部と第２の穴部を有する構成としたことを特徴とする請求項１記載の収納ケース。
【請求項８】
前記第１の薄板部、前記第２の薄板部、前記第３の折り曲げ幅長が前記光ディスク記録媒体の直径より短く、前記第４の薄板部、前記第５の薄板部の折り曲げ幅長が前記光ディスク記録媒体の直径と略等しく構成したことを特徴とする請求項７記載の収納ケース。
【請求項９】
前記第１のスリットおよび第２のスリットは、前記折り目線部と直角の直線部と、前記折り目線部と平行な直線部と、前記光ディスク記録媒体の外周形状と略等しい円弧部を備えることを特徴とする請求項７または請求項８記載の収納ケース。
【請求項１０】
前記第１の薄板部に前記円盤型の光ディスク記録媒体の外周形状と略等しく形成した円弧部と、前記円弧部に突起を有することを特徴とする請求項７から請求項９のいずれか１つ記載の収納ケース。
【請求項１１】
前記第１の薄板部に前記光ディスク記録媒体のレーベル面の一部を露出する窓穴部を設けたことを特徴とする請求項７から請求項１０のいずれか１つ記載の収納ケース。
【請求項１２】
前記収納ケースを印刷表示された薄板状をなす厚紙で構成したことを特徴とする請求項１から請求項１１のいずれか１つ記載の収納ケース。
【発明の詳細な説明】
【技術分野】
【０００１】
本発明は、ＣＤやＤＶＤ等の円盤型の情報記録媒体を収納する収納ケースに関するものである。
【背景技術】
【０００２】
パーソナルコンピュータなどにインストールするアプリケーションソフトやパーソナルコンピュータに接続する外部機器での外部機器のドライバーソフトや外部機器を利用するアプリケーションソフトがＣＤやＤＶＤなどの光ディスクで提供されている。この光ディスクは、プラスチックケース、不織布袋や厚紙の収納ケースなどで提供されている。
【０００３】
プラスチックの収納ケースで提供される場合には、収納ケース内に簡易の説明書を同梱したり、プラスチックの収納ケースとは別にインストールするソフトの動作環境や、使用方法などの説明書を備えている。また、不織布袋の収納袋を用いた収納袋では、インストールするソフトの動作環境や、使用方法などの説明書は、収納ケースとは別に用意することが一般的であった。
【０００４】
このインストールするソフトの動作環境や、使用方法などの説明書を収納ケースと別に用意すると、収納ケースと別にインストールするソフトの動作環境や、使用方法などの説明書を用意することになり、新たなコストが発生するし、説明書を紛失するなどの問題も生じていた。この課題を対策するために、厚紙の収納ケースで構成することでＣＤ等のような円盤記録媒体を収納及び固定し、しかもケース自体が取扱い説明書等とした構成があった。
【０００５】
従来構成のＣＤ等の円盤型記録媒体を収納する収納ケースとしては、図７に示したものがある。図７（ａ）に示すようにＣＤ収納ケース１０にＣＤ２５を装着するには、折り畳まれたＣＤ収納ケース１０において薄板部１２をこじ開けて開口部１３を出現させ、ここからＣＤ２５を矢印Ｈ方向に差し込んで、指示切り込み部１４に挿入させ、ＣＤ２５を支持する。その後図７（ｂ）に示すように薄板部１２を折り畳みＣＤ２５を指示切り込み部１５に挿入させＣＤ２５を固定する。さらに薄板部１６を図７（ｃ）に示すように折り返しこれによりＣＤ２５は収納ケース１０に保持されることになる。
【０００６】
また、広告情報の表示や取扱い説明書は、情報表示部１１に数ベージの本とした構成でＣＤ２５の収納を達成している。
【０００７】
しかしながら、このような収納ケース１０に於て、ＣＤ２５の記録面部２５ａが露出しており、ＣＤ２５の使用時や収納時に、手で触れやすい欠点を有しており、ＣＤ２５の記録面にキズ発生させたり、取扱い時に指紋を付着させたり、ごみを付着させやすい欠点を有し読み取りエラーが発生するという欠点を有していた。また、情報表示部１１も複数のページに亘る印刷で製本をするため高価な構成であった。
【０００８】
また、別の従来の構成では、ＣＤ等の円盤型の記録媒体を収納するケースとしては図８に示したものがある。図８（ａ）に示すように、ＣＤ収納ケース２０にＣＤ２５を装着するには、折り畳まれた収納ケース２０において薄板部２３の耳部２６をこじ開けて開口部３１を出現させ、ここからＣＤ２５を矢印Ｋ方向に差し込んでいき指示切り込み線２７でも同様に開口部を出現させ、挿入されてくるＣＤ２５を差し込んでいく。これによりＣＤ２５は図８（ｂ）のように収納ケース２０に保持されることになる。
【０００９】
しかしながら、このような収納ケース２０においては、薄板部２３に開口部３１を形成しながらＣＤ２５を挿入しなければならず、ＣＤ２５の挿入時にＣＤ２５の記録面を手で触れやすい欠点を有していた。さらに収納ケース２０にＣＤ２５を挿入した後でも、ＣＤ２５の記録面が露出しており、ＣＤ２５の使用時および収納時に記録面に手をふれることが発生しやすく、ＤＶＤやさらに記憶容量が増加していく光ディスクメディアでは、キズや指紋の付着による読み取りエラーが発生するという欠点を有していた。また、説明書などの表示には、表示部が少なく、別途説明書等を準備することが多かった。
この分野の文献としては、例えば（特許文献１）（特許文献２）（特許文献３）がある。
【特許文献１】特開２００３−２２６３８８号公報
【特許文献２】実用新案登録第３０６８７９１号公報
【特許文献３】実開平７−４２７５９号公報
【発明の開示】
【発明が解決しようとする課題】
【００１０】
かかる課題を解決する為、本発明は、ＣＤやＤＶＤ等の円盤型の光ディスクを収納ケース内に収納する際に、記録面に触れることがなく、かつ確実に収納することができ、さらに収納ケース自体がソフトをインストールする動作環境や、使用方法などの説明書とした安価で信頼性の高い収納ケースを提供することを目的とする。
【課題を解決するための手段】
【００１１】
連結する複数の薄板部の連結部に備えた折り目線部に沿って折り曲げて形成する光ディスク記録媒体の収納ケースであって、薄板部の少なくとも１つは、薄板部の中心位置を略円弧中心とする光ディスク記録媒体の外周形状と略等しい円弧部を有することを特徴とする収納ケースであり、光ディスク記録媒体の記録面全体を覆うように、光ディスク記録媒体を収納することができ、収納した光ディスク記録媒体の記録面を直接触れることがなくなるので、光ディスク記録媒体の記録面に指紋を付着させたり、キズを発生させたりすることがない収納ケースを提供できるようになる。
【発明の効果】
【００１２】
本発明によれば、一枚のシートを所定の形状に切り抜き、光ディスク記録媒体の記録面を配置した後に折り目線に沿って折り畳むことで光ディスク記録媒体の記録面を覆うことができるので、収納した光ディスク記録媒体の記録面が露出することがないので、光ディスク記録媒体の記録面にキズをつけたり、指紋を付けたりすることがなくなる。
【００１３】
また、多数折りの構成とすることで、シート全体の表示面積を増やし、文字のサイズを大きくしつつ表示情報量を増やすことができ、判りやすい広告が可能となるし、多数折りの構成で折り曲げることで、不用意に収納ケースが展開し光ディスク記録媒体が落下することを防止できるようになる。
【発明を実施するための最良の形態】
【００１４】
請求項１記載の発明は、連結する複数の薄板部の連結部に折り目線部を備え、連結部のうち少なくとも１つは折り目線部を連結部の両端に有し、両端の折り目線部間には両端の折り目線部間を結ぶスリットを備える光ディスク記録媒体の収納ケースであって、該スリットは、薄板部内の点を略円弧中心とする光ディスク記録媒体の外周形状と略等しい円弧部と、円弧部と折り目線部と連結する少なくとも１つの直線部を有する構成としたことを特徴とする収納ケースであり、光ディスク記録媒体の記録面全体を覆うように、光ディスク記録媒体を収納することができ、収納した光ディスク記録媒体の記録面を直接触れることがなくなるので、光ディスク記録媒体の記録面に指紋を付着させたり、キズを発生させたりすることがない収納ケースを提供できるようになる。
【００１５】
請求項２記載の発明は、連結する第１の薄板部、第２の薄板部、第３の薄板部の連結部に備えた折り目線部に沿って折り曲げて形成する光ディスク記録媒体の収納ケースであって、第１の薄板部と第２薄板部の連結部に、連結部両端の折り目線部と、折り目線部を結ぶ第１のスリットを、第２の薄板部と第３薄板部の連結部に、連結部両端の折り目線部と、折り目線部を結ぶ第２のスリットを有し、第１のスリットと第２のスリットとは、第２の薄板部内の点を略円弧中心とする光ディスク記録媒体の外周形状と略等しい円弧部を有する構成としたことを特徴とする請求項１記載の収納ケースであり、第２の薄板部に光ディスク記録媒体を配置することで、光ディスク記録媒体の記録面全体を覆い、かつ、第１の薄板部および第３の薄板部で、光ディスクをレーベル面側から覆うことができるので、収納した光ディスク記録媒体の記録面を直接触れることがなくなるので、光ディスク記録媒体の記録面に指紋を付着させたり、キズを発生させたりすることがなく、さらに収納した光ディスク記録媒体を取出す際に落下などで損傷することがない収納ケースとすることができる。
【００１６】
請求項３記載の発明は、第２の薄板部の折り曲げ幅長が光ディスク記録媒体の直径より短いことを特徴とする請求項２記載の収納ケースであり、第１の薄板部および第３の薄板部を光ディスク記録媒体を配置した第２の薄板部に畳み込むと光ディスク記録媒体が第１および第２の薄板部内に支持されて容易に落下することがない収納ケースとすることができるようになる。
【００１７】
請求項４記載の発明は、第１のスリットおよび第２のスリットは、折り目線部と直角の直線部と、折り目線部と平行な直線部と、光ディスク記録媒体の外周形状と略等しい円弧部を備えることを特徴とする請求項２または請求項３記載の収納ケースであり、第１の薄板部および第３の薄板部を光ディスク記録媒体を配置した第２の薄板部側へ折り畳む際に第１および第２の薄板部が変形することがない収納ケースとすることができる。
【００１８】
請求項５記載の発明は、第１の薄板部、または第３の薄板部の少なくとも１つには、円盤型の光ディスク記録媒体の外周形状と略等しく形成した円弧部と、円弧部に突起を有することを特徴とする請求項２から請求項４のいずれか１つ記載の収納ケースであり、光ディスク記録媒体のレーベル面を覆うとともに、円弧部に設けた突起がスリット部に入り込むので光ディスク記録媒体を保持することができ、収納ケースの持ち運び時に光ディスク記録媒体が落下することがない収納ケースとすることができる。
【００１９】
請求項６記載の発明は、第１の薄板部、または第３の薄板部の少なくとも１つには、光ディスク記録媒体のレーベル面の一部を露出する窓穴部を設けたことを特徴とする請求項２から請求項５のいずれか１つ記載の収納ケースであり、窓穴部から光ディスク記録媒体の種類を確認できるようになるので、光ディスク記録媒体の誤収納を防止できる。また、記録内容のバージョンアップなどにともなう判別を光ディスク記録媒体のレーベル面の色を変えることで光ディスク記録媒体の種分けが容易にできるようになる。
【００２０】
請求項７記載の発明は、連結する第１の薄板部、第２の薄板部、第３の薄板部、第４の薄板部、および第５の薄板部の連結部に備えた折り目線部に沿って折り曲げて形成する光ディスク記録媒体の収納ケースであって、第１の薄板部と第２薄板部の連結部に、連結部両端の折り目線部と折り目線部を結ぶ第１のスリットを、第２の薄板部と第３薄板部の連結部に、連結部両端の折り目線部と折り目線部を結ぶ第２のスリットを備え、第１のスリットと第２のスリットとは、第２の薄板部内の点を略円弧中心とする光ディスク記録媒体の外周形状と略等しい円弧部を有し、第３の薄板部と第４の薄板部の連結部に、連結部両端の折り目線部と第１の穴部を、第４の薄板部と第５の薄板部の連結部に、連結部両端の折り目線部と第２の穴部を有する構成としたことを特徴とする請求項１記載の収納ケースであり、第２の薄板部に光ディスク記録媒体を配置することで、光ディスク記録媒体の記録面全体を覆い、かつ、第１の薄板部および第３の薄板部で、光ディスクをレーベル面側から覆うことができるので、収納した光ディスク記録媒体の記録面を直接触れることがなくなるので、光ディスク記録媒体の記録面に指紋を付着させたり、キズを発生させたりすることがなく、さらに収納した光ディスク記録媒体を取出す際に落下などで損傷することがない収納ケースとすることができ、さらに第４の薄板部および第５の薄板部によって、例えば第５の薄板部を表紙、第４の薄板部を裏表紙とした本として構成することができるようになる。
【００２１】
請求項８記載の発明は、第１の薄板部、第２の薄板部、第３の折り曲げ幅長が光ディスク記録媒体の直径より短く、第４の薄板部、第５の薄板部の折り曲げ幅長が光ディスク記録媒体の直径と略等しく構成したことを特徴とする請求項７記載の収納ケースであり、第１の薄板部および第３の薄板部を光ディスク記録媒体を配置した第２の薄板部に畳み込むと光ディスク記録媒体が第１および第２の薄板部内に支持されて容易に落下することがなく、さらに、光ディスク記録媒体の幅と略等しく構成した第４および第５の薄板部によって、略角型のいわゆる本の形をした収納ケースとすることができるようになる。
【００２２】
請求項９記載の発明は、第１のスリットおよび第２のスリットは、折り目線部と直角の直線部と、折り目線部と平行な直線部と、光ディスク記録媒体の外周形状と略等しい円弧部を備えることを特徴とする請求項７または請求項８記載の収納ケースであり、第１の薄板部および第３の薄板部を光ディスク記録媒体を配置した第２の薄板部側へ折り畳む際に第１および第２の薄板部が変形することがない収納ケースとすることができる。
【００２３】
請求項１０記載の発明は、第１の薄板部に円盤型の光ディスク記録媒体の外周形状と略等しく形成した円弧部と、円弧部に突起を有することを特徴とする請求項７から請求項９のいずれか１つ記載の収納ケースであり、光ディスク記録媒体のレーベル面を覆うとともに、円弧部に設けた突起がスリット部に入り込むので光ディスク記録媒体を保持することができ、収納ケースの持ち運び時に光ディスク記録媒体が落下することがない収納ケースとすることができる。
【００２４】
請求項１１記載の発明は、第１の薄板部に光ディスク記録媒体のレーベル面の一部を露出する窓穴部を設けたことを特徴とする請求項７から請求項１０のいずれか１つ記載の収納ケースであり、窓穴部から光ディスク記録媒体の種類を確認できるようになるので、光ディスク記録媒体の誤収納を防止できる。また、記録内容のバージョンアップなどにともなう判別を光ディスク記録媒体のレーベル面の色を変えることで光ディスク記録媒体の種分けが容易にできるようになる。
【００２５】
請求項１２記載の発明は、収納ケースを印刷表示された薄板状をなす厚紙で構成したことを特徴とする請求項１から請求項１１のいずれか１つ記載の収納ケースであり、光ディスク記録媒体の記録内容の説明や、記録されたソフトのインストールマニュアルなどや、広告の表示などを印刷することで、収納ケースと別に説明書などを準備する必要がなくなるので、安価な収納ケースを提供できるようになる。
【００２６】
以下、本発明の実施の形態について、図１〜図６を参照しながら説明する。
【００２７】
（実施の形態１）
図１は本発明の実施の形態１に係る収納ケースの説明図、図２は本発明の実施の形態１に係る平面図である。
【００２８】
図１および図２に沿って本発明の構成を述べる。
【００２９】
図１および図２において、１は収納ケース、１０１は第１の薄板部、１０２は第２の薄板部部、１０３は第３の薄板部、１０４ａ、１０４ｂ、１０４ｃ、１０４ｄは切り欠き部、１０５ａ、１０５ｂ、１０５ｃ、１０５ｄは折り目線部、１０６は外形円弧部、１０７および１０８は内周円弧部、１０９は光ディスク記録媒体である。
【００３０】
収納ケース１は、厚紙で形成した薄板を折り返すことで容易に光ディスク記録媒体１０９を収納する構成をとっている。
【００３１】
第１の薄板部１０１には、第２の薄板部１０２に配置する光ディスク記録媒体１０９の外形と略等しい外形円弧部１０６と、外形円弧部１０６と円弧部から伸びた突起部２０５と、窓穴部１１０を備えている。
【００３２】
また、第２の薄板部１０２は、第１の薄板部１０１と第２の薄板部１０２の連結部の両端に設けた折り目線部１０５ａ、１０５ｂを結ぶ第１のスリット１１２と、第２の薄板部１０２と第３の薄板部１０３の連結部の両端に設けた折り目線部１０５ｃ、１０５ｄを結ぶ第２のスリット１１３を備えている。第１のスリット１１２および第２のスリット１１３は、第２の薄板部１０２の中心１１１を円弧の中心とする光ディスク記録媒体１０９の外形と略等しい内周円弧部１０７および１０８を有している。
【００３３】
内周円弧部１０７の端部には切り欠き部１０４ａおよび切り欠き部１０４ｂ、内周円弧部１０８の端部には、切り欠き部１０４ｃおよび切り欠き部１０４ｄを有している。切り欠き部１０４ａ、１０４ｂ、１０４ｃ，１０４ｄは、後で述べるように、折り目線部１０５ａ，１０５ｂ、１０５ｃ、１０５ｄと平行な直線部と垂直な直線部を有している。また、第２の薄板部１０２の両側には、第１の薄板部１０１および第３の薄板部１０３を有しており、折り目線部１０５ａ、１０５ｂ、１０５ｃ、および１０５ｄで折り返されて光ディスク記録媒体１０９を保持できるように形成している。第２の薄板部１０２の幅即ち、折り目線部１０５ａと折り目線部１０５ｄの間隔および折り目線部１０５ｂと折り目線部１０５ｃの間隔は、光ディスク記録媒体１０９の直径より狭くしている。
【００３４】
次に光ディスク記録媒体１０９を収納する方法を図１および図２により説明する。
【００３５】
第１の薄板部１０１を折り目線部１０５ａ、１０５ｂに沿って矢印Ｉのように第２の薄板部１０２側へ折り返す。
【００３６】
光ディスク記録媒体１０９の記録面側を第２の薄板部１０２に置き、光ディスク記録媒体１０９を第１の薄板部１０１の切り欠き部１０４ａ、１０４ｂに挿入する。その後、第１の薄板部１０１を折り畳み光ディスク記録媒体１０９のレーベル面側を覆う。第１の薄板部１０１には、外形円弧部１０６を有しており、外形円弧部１０６は光ディスク記録媒体１０９の外形部と略等しく、折り畳み時に光ディスク記録媒体１０９のレーベル面を外形に沿うように覆うことができるようになる。光ディスク記録媒体１０９のレーベル面を覆うと同時に、第１の薄板部１０１に設けた外形円弧部１０６から伸びた突起部２０５を第２のスリット１１３に挿入する。
【００３７】
突起部２０５を第２のスリット１１３に挿入することで、光ディスク記録媒体１０９を第１の薄板部１０１と第２の薄板部１０２との間に狭持するようにし、光ディスク記録媒体１０９を持っても落下することがないようにしている。
【００３８】
次に第３の薄板部１０３を、矢印Ｊの方向に第１の薄板部１０１の上へ折り畳み光ディスク記録媒体１０９を図１（ｂ）のように保持する。
【００３９】
また、第１の薄板部１０１の外形円弧部１０６が、第２の薄板部１０２へ折り畳んだ際に、光ディスク記録媒体１０９の形状と略等しく形成することにより、第３の薄板部１０３を矢印Ｊの方向へ折り畳むことが容易にできるようになる。
【００４０】
第１の薄板部１０１の外形円弧部１０６の近くには、窓穴部１１０を設けており、この窓穴部１１０から光ディスク記録媒体１０９のレーベル面を確認できるようにしており、収納する光ディスク記録媒体１０９の種類を目視でも確認できるようにしている。
【００４１】
また、光ディスク記録媒体１０９の記録面を、第２の薄板部１０２に置くことで、光ディスク記録媒体１０９の記録面側が保護され、収納時や取出し時に記録面側にキズを発生させたり、手で記録面を触ることでの指の指紋が付着することを防止できる。従って、光ディスク記録媒体１０９の再生時の読み取り誤差を防止することができるようになる。
【００４２】
また、第１の薄板部１０１の切り欠き部１０４ａ、１０４ｂ及び第３の薄板部１０３の切り欠き部１０４ｃ、１０４ｄおよび内周円弧部１０７、内周円弧部１０８部に光ディスク記録媒体１０９が保持されているので、収納ケース１から光ディスク記録媒体１０９を取出す際に、収納ケース１から光ディスク記録媒体が落下することがなく、安全に光ディスク記録媒体１０９を取出すことができるようになる。
【００４３】
また、光ディスク記録媒体１０９がアプリケーションソフトウェアや、接続機器のドライバーソフトなどにおいては、ソフトウェアのインストール方法などを記述した情報を、第２の薄板部１０２および第１の折返し板部、第３の薄板部１０３に記述しており、収納ケース１と別にインストール方法の説明書などを準備しなくてもよくなるので、安価にできるし、また説明書を紛失するようなことも無くなる。
【００４４】
なお、光ディスク記録媒体１０９を収納時に光ディスク記録媒体１０９で隠れる位置には、光ディスク記録媒体１０９を動作させるときに必要な項目を記載し、光ディスク記録媒体１０９を収納時に情報を記録した内容を読むことができる位置には、広告や、動作環境、注意事項などの情報を記録することで、表示内容を有効活用することができる。
【００４５】
また、本発明の実施の形態１では、連結した第１の薄板部１０１、第２の薄板部１０２および第３の薄板部１０３を折り曲げて構成する収納ケースで説明したが、第１の薄板部１０１を折り返すだけで第３の薄板部１０３は折り返さない構成としてももよいし、第３の薄板部１０３は無くても良い。
【００４６】
（実施の形態２）
図３は本発明の実施の形態２に係る収納ケースの斜視説明図、図４は、本発明の実施の形態２に係る平面図、図５は、本発明の実施の形態２に係る組立て説明図である。図３から図５に沿って本発明の構成を述べる。
【００４７】
図３から図５において、１は収納ケース、１０１は第１の薄板部、１０２は第２の薄板部、１０３は第３の薄板部、２０１は第４の薄板部、２０２は第５の薄板部、１０４ａ、１０４ｂ、１０４ｃ、１０４ｄは切り欠き部、１０５ａ、１０５ｂ、１０５ｃ、１０５ｄは折り目線部、１０６は外形円弧部、１０７および１０８は内周円弧部、１０９は光ディスク記録媒体、２０３は第１の穴部、２０４は第２の穴部、２０５は突起部である。
【００４８】
第１の薄板部１０１には、第２の薄板部１０２に配置する光ディスク記録媒体１０９の外形と略等しい外形円弧部１０６と、外形円弧部１０６と円弧部から伸びた突起部２０５と、窓穴部１１０を備えている。
【００４９】
また、第２の薄板部１０２は、第１の薄板部１０１と第２の薄板部１０２の連結部の両端に設けた折り目線部１０５ａ、１０５ｂを結ぶ第１のスリット１１２と、第２の薄板部１０２と第３の薄板部１０３の連結部の両端に設けた折り目線部１０５ｃ、１０５ｄを結ぶ第２のスリット１１３を備えている。第１のスリット１１２および第２のスリット１１３は、第２の薄板部１０２の中心１１１を円弧の中心とする光ディスク記録媒体１０９の外形と略等しい内周円弧部１０７および１０８を有している。
【００５０】
内周円弧部１０７の端部には切り欠き部１０４ａおよび切り欠き部１０４ｂ、内周円弧部１０８の端部には、切り欠き部１０４ｃおよび切り欠き部１０４ｄを有している。切り欠き部１０４ａ、１０４ｂ、１０４ｃ，１０４ｄは、後で述べるように、折り目線部１０５ａ，１０５ｂ、１０５ｃ、１０５ｄと平行な直線部と垂直な直線部を有している。また、第２の薄板部１０２の両側には、第１の薄板部１０１および第３の薄板部１０３を有しており、折り目線部１０５ａ、１０５ｂ、１０５ｃ、および１０５ｄで折り返されて光ディスク記録媒体１０９を保持できるように形成している。第２の薄板部１０２の幅即ち、折り目線部１０５ａと折り目線部１０５ｄの間隔および折り目線部１０５ｂと折り目線部１０５ｃの間隔は、光ディスク記録媒体１０９の直径より狭くしている。
【００５１】
次に光ディスク記録媒体１０９を収納する方法を図３から図５により説明する。
【００５２】
図３および図５（ａ）に示すように、光ディスク記録媒体１０９の記録面側を第２の薄板部１０２に置き、光ディスク記録媒体１０９を第１の薄板部１０１の切り欠き部１０４ａ、１０４ｂに挿入する。そして、図５（ｂ）のように第２の薄板部１０２の折り目線１０５ａ、１０５ｂに沿って第１の薄板部１０１を第２の薄板部１０２側へ折り返す。第１の薄板部１０１を折り畳み光ディスク記録媒体１０９のレーベル面側を覆う。第１の薄板部１０１には、外形円弧部１０６を有しており、外形円弧部１０６は光ディスク記録媒体１０９の外形部と略等しく形成され、折り畳み時に光ディスク記録媒体を外形に沿うように覆うことができるようになる。光ディスク記録媒体１０９のレーベル面を覆うと同時に、第１の薄板部１０１に設けた外形円弧部１０６から伸びた突起部２０５を第２のスリット１１３に挿入する。
【００５３】
突起部２０５を第２のスリット１１３に挿入することで、光ディスク記録媒体１０９を第１の薄板部１０１と第２の薄板部１０２との間に狭持するようにし、光ディスク記録媒体１０９を持っても落下することがないようにしている。
【００５４】
次に、図５（ｃ）に示すように、第３の薄板部１０３側へ、折り畳み光ディスク記録媒体１０９を保持する。
【００５５】
第１の薄板部１０１の外形円弧部１０６の近くには、窓穴部１１０を設けており、この窓穴部１１０から光ディスク記録媒体１０９のレーベル面を確認できるようにしており、収納する光ディスク記録媒体１０９の種類を目視でも確認できるようにしている。
【００５６】
また、第１の薄板部１０１の外形円弧部１０６が、第２の薄板部１０２へ折り畳んだ際に、光ディスク記録媒体１０９の形状と略等しく形成することにより、第１の穴部２０３と嵌合する光ディスク記録媒体１０９の端部から露出する部位は、記録面の露出はなく、レーベル面の一部と端部であり、収納ケース１内に収納された光ディスク記録媒体１０９の記録面にキズをつけたり、指紋を付着させたりすることはない。従って、光ディスク記録媒体１０９の再生時の読み取り誤差を防止することができるようになる。
【００５７】
次に、図５（ｄ）に示すように、第４の薄板部２０１側へ折り畳む。光ディスク記録媒体１０９の外周の一部は、第１の穴部２０３と嵌合する。
【００５８】
光ディスク記録媒体１０９の外周部の一部と第１の穴部２０３との嵌合により、光ディスク記録媒体１０９の位置が保持されるうようになる。
【００５９】
次に図５（ｅ）に示すように、第５の薄板部２０２へ折り畳む。
【００６０】
第４の薄板部２０１と第５の薄板部２０２は、折り曲げ幅が略光ディスク記録媒体１０９の直径の長さとしており、例えば、第４の薄板部２０１を裏表紙、第５の薄板部を表表紙となる本の形状とすることができる。
【００６１】
また、光ディスク記録媒体１０９がアプリケーションソフトウェアや、接続機器のドライバーソフトなどにおいては、ソフトウェアのインストール方法などを記述した情報を、第１の薄板部１０１から第５の薄板部２０２に記述しており、収納ケース１と別にインストール方法の説明書などを準備しなくてもよくなるので、安価にできるし、また説明書を紛失するようなことも無くなる。
【００６２】
なお、光ディスク記録媒体１０９を収納時に光ディスク記録媒体１０９で隠れる位置には、光ディスク記録媒体１０９を動作させるときに必要な項目を記載し、光ディスク記録媒体１０９を収納時に情報を記録した内容を読むことができる位置には、広告や、動作環境、注意事項などの情報を記録することで、表示内容を有効活用することができる。
【００６３】
図６は、本発明の実施の形態に係る切り欠き部１０４ａの説明図である。
【００６４】
本発明の実施の形態に係る切り欠き部１０４ａは、図６（ａ）は、Ｌ字型の切り欠きの構成をとってもよいし、Ｌ字型切り欠き部１０４ａの角部にＲ６０１をとっても良い。Ｒ６０１は５Ｒ以下で構成すると折り曲げの作業がやりやすく、Ｒが５より大きいと光ディスク記録媒体９の固定でガタを発生しやすい。
【００６５】
なお、光ディスク記録媒体１０９を収納時に光ディスク記録媒体１０９で隠れる位置には、光ディスク記録媒体１０９を動作させるときに必要な項目を記載し、光ディスク記録媒体１０９を収納時に情報を記録した内容を読むことができる位置には、広告や、動作環境、注意事項などの情報を記録することで、表示内容を有効活用することができ、さらに第４の薄板部２０１および第５の薄板部２０２を設けることで、光ディスク記録媒体９を収納したままでも、アプリケーションソフトウェアのインストール方法などを記述した情報や、ソフトウェアの説明書、広告などを記述する場所が増える。
【００６６】
従って、多くのソフトを収録したＤＶＤなどの光ディスク記録媒体１０９の取扱い説明書を別に準備しなくても良くなり安価にできる。さらに、表示部が増化するので、文字の大きさも大きくでき、内容を容易に読むことができるようになる。
【００６７】
なお、本実施の形態では、光ディスク記録媒体１０９の外周形状と略等しい円弧部を有する第２の薄板部１０２に光ディスク記録媒体１０９を配置し、薄板部が３つおよび５つ備える形態で述べたが、光ディスク記録媒体１０９の記録面全体を保護する薄板部を有し、光ディスク記録媒体１０９を保持する薄板部を備える構成であれば、本実施の形態にこだわらず種々の形態を採ることがとができる。
【００６８】
また、本発明の実施の形態では、第１の薄板部１０１の外形円弧部１０６の近くに窓穴部１１０を設けて、窓穴部１１０から光ディスク記録媒体１０９のレーベル面を確認できるようにしており、窓穴部１１０の形状を略円で図示しているが、特に略円にこだわらず光ディスク記録媒体１０９のレーベル面が見える構成であればよく、星状の穴や多角形状の窓穴など様々の形態をとっても良いことは、言うまでもない。
【００６９】
また、本発明の実施の形態１および本発明の実施の形態２では、第１のスリット１１２および第２のスリット１１３は、第２の薄板部１０２の中心１１１を円弧の中心とする光ディスク記録媒体１０９の外形と略等しい内周円弧部１０７および１０８としたが、図９に示すように、円弧の中心は、第２の薄板部１０２の中心だけではなく、第２の薄板部１０２の任意の点を中心とする光ディスク記録媒体１０９の外形と略等しい円弧部であってもかまわない。図９（ａ）では、内周円弧部１０７および内周円弧部１０８の円弧の中心が、折り目線部と平行に移動した図であり、図９（ｂ）は、第２の薄板部１０２の任意の位置に内周円弧部１０７および内周円弧部１０８の円弧の中心を配置した図である。このような内周円弧部１０７、および内周円弧部１０８の中心位置を配置することで、収納ケース１に表示する表示内容とレイアウトの設計により見栄えをよくするだけでなく、複数の光ディスク記録媒体９を収納することもできるようになる。
【産業上の利用可能性】
【００７０】
本発明は、光ディスク記録媒体を安全に収納するとともに、光ディスクに収納されたソフトウェアの取扱いや、説明書を収納ケース自体に記載することができるので、パーソナルコンピュータに接続する外部機器に付属の光ディスク記録媒体の収納ケースとしての利用や、広告表示部が増加するので各社のカタログなどを紹介する広告用の光ディスク記録媒体を収納する収納ケースなどに適応可能である。
【図面の簡単な説明】
【００７１】
【図１】本発明の実施の形態１に係る収納ケースの説明図
【図２】本発明の実施の形態１に係る平面図
【図３】本発明の実施の形態２に係る収納ケースの斜視説明図
【図４】本発明の実施の形態２に係る平面図
【図５】本発明の実施の形態２に係る組立て説明図
【図６】本発明の実施の形態に係る切り欠き部の説明図
【図７】従来構成のＣＤ等の円盤型記録媒体を収納する収納ケースの一例を示す図
【図８】別の従来構成のＣＤ等の円盤型記録媒体を収納する収納ケースの一例を示す図
【図９】本発明の実施の形態に係る別の円弧部の一例を示す図
【符号の説明】
【００７２】
１    収納ケース
１０１    第１の薄板部
１０２    第２の薄板部
１０３    第３の薄板部
１０４    切り欠き部
１０５    折り目線部
１０６    外形円弧部
１０７    内周円弧部
１０８    内周円弧部
１０９    光ディスク記録媒体
２０１    第４の薄板部
２０２    第５の薄板部
２０３    第１の穴部
２０４    第２の穴部
２０５    突起部
【図１】
2007050896.tif 000003
【図２】
2007050896.tif 000004
【図３】
2007050896.tif 000005
【図４】
2007050896.tif 000006
【図５】
2007050896.tif 000007
【図６】
2007050896.tif 000008
【図７】
2007050896.tif 000009
【図８】
2007050896.tif 000010
【図９】
2007050896.tif 000011